(57)【要約】【課題】少なくとも所定のガスを貯蔵する貯蔵容器において、内圧が高くても、内容物の漏洩を抑制することが可能な技術を提供すること。【解決手段】少なくとも大気圧より高い圧力の乾燥ガスが貯蔵される貯蔵容器であって、乾燥ガスを内包するためライナー部を備え、ライナー部の少なくとも一部に、水蒸気と反応すると硬化する湿気硬化剤がライナー部の内壁と接するように配置されていること。【選択図】図１
2007298129.tif 000002
【特許請求の範囲】
【請求項１】
少なくとも大気圧より高い圧力の乾燥ガスが貯蔵される貯蔵容器であって、
前記乾燥ガスを内包するためライナー部を備え、
前記ライナー部の少なくとも一部に、水蒸気と反応すると硬化する湿気硬化剤が前記ライナー部の内壁と接するように配置されていることを特徴とする貯蔵容器。
【請求項２】
請求項１に記載の貯蔵容器において、
前記乾燥ガスは、水素ガスであることを特徴とする貯蔵容器。
【請求項３】
請求項１または請求項２に記載の貯蔵容器において、
前記湿気硬化剤は、シアノアクリレート樹脂、または、シリコーンＲＴＶのいずれかであることを特徴とする貯蔵容器。
【発明の詳細な説明】
【技術分野】
【０００１】
本発明は、少なくとも大気圧より高い圧力の乾燥ガスが貯蔵される貯蔵容器に関する。
【背景技術】
【０００２】
従来から、少なくとも所定のガスを貯蔵するための貯蔵容器（いわゆる、タンク。）において、貯蔵容器の破損時に、貯蔵容器外に内容物（貯蔵容器に貯蔵されるガスの他、ガスが液化した液体も貯蔵されている場合には、その液体も含む。）が漏洩することを抑制したいという要望がある。このような問題を解決するために、例えば、貯蔵容器内にゲル状の物質を配置し、貯蔵容器破損時において、破損部から内容物が漏洩することをゲル状物質によって塞ぐことで抑制する技術が考案されている（特許文献１参照）。
【０００３】
【特許文献１】実開昭６２−１３０９３１号公報
【発明の開示】
【発明が解決しようとする課題】
【０００４】
しかしながら、上述のゲル状物質を配置した貯蔵容器では、貯蔵容器破損時において、貯蔵容器の内圧が高いと、ゲル状物質がガスに押されて貯蔵容器外に流れ出て破損部を塞ぐことができず、内容物の漏洩を抑制することが困難になるというおそれがあった。
【０００５】
本発明は、上記課題に鑑みてなされたものであり、少なくとも所定のガスを貯蔵する貯蔵容器において、内圧が高くても、内容物の漏洩を抑制することが可能な技術を提供することを目的とする。
【課題を解決するための手段】
【０００６】
上記目的の少なくとも一部を達成するために、本発明の貯蔵容器は、
少なくとも大気圧より高い圧力の乾燥ガスが貯蔵される貯蔵容器であって、
前記乾燥ガスを内包するためライナー部を備え、
前記ライナー部の少なくとも一部に、水蒸気と反応すると硬化する湿気硬化剤が前記ライナー部の内壁と接するように配置されていることを要旨とする。
【０００７】
上記構成の貯蔵容器によれば、貯蔵容器が破損した場合には、湿気硬化剤が破損部から外部に押し出され、その際、湿気硬化剤が、貯蔵容器外部の水蒸気（湿気）によって、硬化する。そうすると、破損部の少なくとも一部が塞がれるので、内容物の漏洩を抑制することが可能となる。なお、上記乾燥ガスは、完全に乾燥しているガスの他、上記湿気硬化剤が硬化しない程度の水蒸気を含有するガスも含む。
【０００８】
上記貯蔵容器において、
前記乾燥ガスは、水素ガスとしてもよい。このようにすれば、この貯蔵容器を、例えば、燃料電池システムが備える燃料電池に水素ガスを供給するための水素タンクとして用いることができる。
【０００９】
上記貯蔵容器において、
前記湿気硬化剤は、シアノアクリレート樹脂、または、シリコーンＲＴＶのいずれかを用いることが可能である。このようにすれば、貯蔵容器が破損した場合に、破損部の少なくとも一部を塞ぐことが可能となる。
【００１０】
なお、本発明は、上記した貯蔵容器などの装置発明の態様に限ることなく、貯蔵容器の製造方法などの方法発明としての態様で実現することも可能である。
【発明を実施するための最良の形態】
【００１１】
以下、本発明の実施の形態について、実施例に基づき次の順序で説明する。
Ａ．実施例：
Ｂ．変形例：
【００１２】
Ａ．実施例：
図１は、本発明の一実施例としての貯蔵容器１００の概略断面構成図である。この貯蔵容器１００は、内部に高圧で乾燥した水素ガス（例えば、大気圧より大きく７００気圧以下。）を貯蔵するための略円筒状の水素タンクであり、高圧水素ガスを内包するためのライナー部１０と、シャットバルブ２０と、湿気硬化剤３０とを備えている。ライナー部１０は、例えば、鉄、アルミ、チタン、ステンレス、および、樹脂などで構成される。シャットバルブ２０は、例えば、パイロットバルブなどが用いられる。
【００１３】
この貯蔵容器１００は、図１に示すように、ライナー部１０の内壁全体に湿気硬化剤３０が塗布されている。この湿気硬化剤３０は、空気中などの微量の水蒸気（湿気）と反応すると硬化する接着剤であり、例えば、シアノアクリレート樹脂やシリコーンＲＴＶなどを用いることができ、ライナー部１０に塗布された状態で保持される程度の粘度を持つ。なお、貯蔵容器１００に貯蔵される水素ガスは、完全に乾燥しているガスの他、湿気硬化剤３０が硬化しない程度の水蒸気を含有するガスも含む。
【００１４】
この湿気硬化剤３０をライナー部１０の内壁に塗布する場合には、例えば、貯蔵容器１００の製造時において、シャットバルブ２０を配置する前のライナー部１０を用意し、所定の乾燥ガス雰囲気下（例えば、乾燥空気雰囲気下。この場合の「乾燥」とは、完全に乾燥している状態の他、湿気硬化剤３０が硬化しない程度の水蒸気を含有する状態も含む。）で、用意したライナー部１０の内壁に対して湿気硬化剤３０をスプレー噴射などによって塗布する。なお、この湿気硬化剤３０は、ライナー部１０の内壁の全体に塗布するようにしてもよいし、内壁の少なくとも一部に塗布するようにしてもよい。特に、ライナー部１０において、破損しやすい箇所等がある場合には、湿気硬化剤３０をその部分のみに塗布するようにしてもよい。
【００１５】
この貯蔵容器１００において、図１に示すように、大きな外力が加わるなどして、ライナー部１０の所定箇所が破損する場合がある。図１では、この箇所を点線領域Ｘで示している。
【００１６】
図２は、図１の点線領域Ｘにおいて、ライナー部１０の破損後の様子を説明するための説明図である。図２（Ａ）のごとく、ライナー部１０が破損すると、破損部において、図２（Ｂ）に示すように、湿気硬化剤３０は、高圧の水素ガスに押されて外部に飛び出しつつ、空気中の水蒸気と反応して硬化する。
【００１７】
以上のように、本実施例の貯蔵容器１００では、湿気硬化剤３０をライナー部１０の内壁に塗布するようにしている。このようにすれば、外力等でライナー部１０で破損した場合であっても、湿気硬化剤３０は、高圧の水素ガスに押されて外部に飛び出しつつ、空気中の水蒸気と反応して硬化するので、ライナー部１０の破損部の少なくとも一部を塞ぐことが可能となり、高圧水素ガスの漏洩を抑制することが可能となる。なお、貯蔵容器１００において、水素ガスと液体水素とが共存している状態であってもよい。この場合には、液体水素の漏洩も防止することが可能となる。
【００１８】
Ｂ．変形例：
なお、本発明では、上記した実施の形態に限られるものではなく、その要旨を逸脱しない範囲において種々の態様にて実施することが可能である。
【００１９】
Ｂ１．変形例１：
上記実施例の貯蔵容器１００では、水素ガスを貯蔵することとしているが、本発明は、これに限られるものではない。貯蔵容器１００において、大気圧より高いその他の乾燥ガスを貯蔵するようにしてもよい。例えば、貯蔵容器１００に、酸素、窒素、ヘリウム、アンモニア、メタン、プロパンなどの乾燥ガスを貯蔵するようにしてもよい。
【００２０】
Ｂ２．変形例２：
上記実施例の貯蔵容器１００を、燃料電池システムで、燃料電池に水素を供給するための水素タンクとして用いるようにしてもよい。また、貯蔵容器１００を水素吸蔵合金を備えた吸蔵合金タンクとしてもよい。
【００２１】
Ｂ３．変形例３：
上記実施例の貯蔵容器１００において、湿気硬化剤３０は、微量の水蒸気（湿気）と反応すると硬化する接着剤を用いるようにしているが、本発明は、これに限られるものではない。例えば、湿気硬化剤３０の代わりに、酸素と反応すると、硬化する接着剤を用いるようにしもよい。このようにしても、上記実施例と同様の効果を奏することができる。また、例えば、湿気硬化剤３０の代わりに、液水に反応すると硬化する接着剤（以下では、液水硬化剤とも呼ぶ。）を用いるようにしてもよい。このようにすれば、例えば、貯蔵容器を水中で用いる場合において、ライナー部１０が破損しても、液水硬化剤が水と反応して硬化するので、ライナー部の破損部の少なくとも一部を塞ぐことが可能となり、高圧水素ガスの漏洩を抑制することが可能となる。
【００２２】
Ｂ４．変形例４：
上記実施例の貯蔵容器１００において、ライナー部１０の外側に強度（剛性）を確保するための外層部を設けるようにしてもよい。この場合、外層部は、例えば、フィラメントワインディング法による繊維（カーボン繊維等）の巻き付けにより形成するようにしてもよい。
【図面の簡単な説明】
【００２３】
【図１】本発明の第１実施例としての貯蔵容器１００の概略断面構成図である。
【図２】図１の点線領域Ｘにおいてライナー部１０の破損後の様子を説明するための説明図である。
【符号の説明】
【００２４】
１０…ライナー部
２０…シャットバルブ
３０…湿気硬化剤
１００…貯蔵容器
【図１】
2007298129.tif 000003
【図２】
2007298129.tif 000004